(57)【要約】【課題】領域の規制や区分けを行うことができるとともに、優れた耐久性を確保できるロードコーンを提供することである。【解決手段】円錐状のコーン本体部２と、コーン本体部２に対して着脱可能なコーン頂部３と、を備えているロードコーン１である。コーン本体部２の内部には、コーン本体部２の外部に引き出し可能なロープ５と、ロープ５を収納可能なロープ収納部６と、を有し、コーン頂部３には、ロープ５の一端が接続されている。コーン本体部２の上端部２ａには、引き出したロープ５を係止可能な係止部２５が設けられている。コーン頂部３は、ロープ５の一端５１に対して着脱可能となっており、ロープ５の一端５１には、環状部５１ａが設けられている。【選択図】図１
2015098703.tif 000002
【特許請求の範囲】
【請求項１】
錐状のコーン本体部と、
前記コーン本体部に対して着脱可能なコーン頂部と、
を備え、
前記コーン本体部の内部に、
前記コーン本体部の外部に引き出し可能なロープと、
前記ロープを収納可能なロープ収納部と、
を有し、
前記コーン頂部には、前記ロープの一端が接続されているロードコーン。
【請求項２】
請求項１に記載のロードコーンであって、
前記コーン本体部には、引き出した前記ロープを係止可能な係止部が設けられているロードコーン。
【請求項３】
請求項１または２に記載のロードコーンであって、
前記コーン頂部は、前記ロープの一端に対して着脱可能となっており、
前記ロープの一端には、環状部が設けられているロードコーン。
【請求項４】
請求項１から３のいずれか１項に記載のロードコーンであって、
前記コーン本体部の底部には、前記コーン本体部を支持するベース部が設けられ、
前記ロープ収納部は、前記ベース部に固定され、
前記コーン本体部の外殻は、前記ベース部に対して着脱可能となっているロードコーン。
【請求項５】
請求項４に記載のロードコーンであって、
前記ベース部は、中空であり、前記ベース部の内部に液体を注入可能な液体注入口を有するロードコーン。
【請求項６】
請求項１から５のいずれか１項に記載のロードコーンであって、
前記ロープは、黒色と黄色との縞模様を有するロードコーン。
【請求項７】
請求項１から６のいずれか１項に記載のロードコーンであって、
前記ロープは、気体を注入することにより棒状となる気体注入式ロープであり、
前記気体注入式ロープの表面は、保護材により覆われているロードコーン。
【請求項８】
請求項７に記載のロードコーンであって、
前記気体注入式ロープには、空気よりも比重が軽い気体が注入されているロードコーン。
【発明の詳細な説明】
【技術分野】
【０００１】
本発明の実施形態は、ロードコーンに関する。
【背景技術】
【０００２】
従来、例えば道路や工事現場などに置かれる保安器具として、カラーコーン（登録商標）と呼ばれる円錐状のロードコーンが知られている。複数のロードコーンの間に棒状部材を架け渡すことにより、道路や工事現場などの領域の規制や区分けを行う。
【先行技術文献】
【特許文献】
【０００３】
【特許文献１】特開平１１−２９９１２号公報
【発明の概要】
【発明が解決しようとする課題】
【０００４】
ロードコーン間に架け渡される棒状部材は、コストや重量等の観点から、一般に樹脂材料により形成された筒状となっている。しかし、棒状部材は、屋外で長期間にわたって使用される場合には、例えば紫外線等の影響により劣化して破損するおそれがある。
本発明の実施形態が解決しようとする課題は、領域の規制や区分けを行うことができる耐久性に優れたロードコーンを提供することである。
【課題を解決するための手段】
【０００５】
実施形態のロードコーンは、錐状のコーン本体部と、前記コーン本体部に対して着脱可能なコーン頂部と、を備え、前記コーン本体部の内部に、前記コーン本体部の外部に引き出し可能なロープと、前記ロープを収納可能なロープ収納部と、を有し、前記コーン頂部には、前記ロープの一端が接続されている。
【図面の簡単な説明】
【０００６】
【図１】第一実施形態におけるロードコーンの側面図である。
【図２】第一実施形態におけるロードコーンを上方から見たときの説明図である。
【図３】係止溝の説明図である。
【図４】コーン本体部とベース部とを分解したときの説明図である。
【図５】他のロードコーンをベース部上に設置したときの説明図である。
【図６】複数のロードコーンの間にロープを渡し掛けた時の説明図である。
【図７】第二実施形態におけるロードコーンの側面図である。
【図８】第二実施形態におけるロードコーンのロープの拡大図である。
【発明を実施するための形態】
【０００７】
（第一実施形態）
以下、本発明に係る第一実施形態について図面を参照して説明する。
図１は、第一実施形態におけるロードコーンの側面図である。
図１に示すように、本実施形態のロードコーン１は、全体として円錐状に形成されており、コーン本体部２と、コーン頂部３と、ベース部４と、ロープ５と、ロープ収納部６と、を備えている。なお、図１では、コーン本体部２の一部を透過した状態で、ロープ収納部６が見えるように図示している。また、ロードコーン１の中心軸をＯと定義する。ロードコーン１を設置面Ｆに載置した時、中心軸Ｏは、鉛直上下方向に沿うように配置される。以下の説明では、中心軸Ｏに沿う方向を軸方向といい、中心軸Ｏと直交する方向を径方向といい、中心軸Ｏ周りに周回する方向を周方向という。
【０００８】
図２は、ロードコーンを上方から見たときの説明図である。なお、図２では、コーン頂部の図示を省略している。
コーン本体部２、コーン頂部３およびベース部４は、それぞれ例えば樹脂材料により形成されている。
図２に示すように、コーン本体部２は、中空の部材であり、外殻２０が中心軸Ｏと同軸の円錘状に形成されている。コーン本体部２の上端部２ａには、軸方向から見て環状に形成されるとともに、上方に突出する嵌合凸部２１が設けられている。嵌合凸部２１の中心軸は、ロードコーン１の中心軸Ｏと一致している。
嵌合凸部２１の内側には、後述のロープ５が挿通可能なロープ挿通孔２３が設けられている。ロープ挿通孔２３は、コーン本体部２の内部と外部とを連通している。
【０００９】
図３は、係止溝の説明図である。
図３に示すように、コーン本体部２の上端部２ａには、係止溝２５（請求項の「係止部」に相当。）が設けられている。係止溝２５は、嵌合凸部２１の上端部から下方に向かって切り欠かれて形成されている。係止溝２５は、上方から下方に向かって開口幅が漸次狭くなるＶ字状に形成されている。係止溝２５は、コーン本体部２を上方から見たとき、周方向に９０°ピッチとなるように４箇所に設けられている（図２参照）。係止溝２５には、後述のロープ５が係止溝２５の開口から挿入されて係止される。係止溝２５をＶ字状に形成することにより、係止溝２５の開口幅よりも小径であって、種々の直径を有するロープを係止できる。
【００１０】
図１に示すように、コーン頂部３は、円錐状に形成された中空の部材である。コーン頂部３の底部３ａには、コーン本体部２の嵌合凸部２１と嵌合可能な嵌合凹部３１が形成されている。コーン頂部３は、嵌合凹部３１をコーン本体部２の嵌合凸部２１と嵌合または解除することにより、コーン本体部２に対して着脱可能となっている。
【００１１】
コーン本体部２の底部２ｂには、コーン本体部２を支持するベース部４が設けられている。ベース部４は、軸方向から見て矩形状に形成された中空の板状部材である。ベース部４の外形は、軸方向から見てコーン本体部２の外形よりも大きくなっている。
ベース部４の上面４１には、ベース部４の内部と外部とを連通するとともに、封止可能な液体注入口４３が設けられている。ベース部４の内部には、液体注入口４３を通じて例えば水等の液体が注入される。ベース部４は、内部に液体が注入されることにより重量が増加するので、ベース部４上に設置されるコーン本体部２および後述のロープ収納部６を安定して支持し、ロードコーン１が転倒するのを防止できる。
【００１２】
図４は、コーン本体部とベース部とを分解したときの説明図であり、図５は、他のロードコーンをベース部上に設置したときの説明図である。
図４に示すように、コーン本体部２の底面には、面ファスナー８のフック面８ａが貼付されている。また、ベース部４の上面４１におけるコーン本体部２の底面に対応した領域には、面ファスナーのループ面８ｂが貼付されている。
コーン本体部２の外殻２０は、ベース部４に対して、面ファスナー８を介して着脱可能となっている。したがって、例えば、コーン本体部２が破損しても容易に交換できる。また、図５に示すように、コーン本体部２（図４参照）が破損した場合に、コーン本体部２に換えて、本実施形態のロードコーン１（図１参照）とは異なる一般的な従来のロードコーン１０１をベース部４上に設置することもできる。
【００１３】
図１に示すように、本実施形態のロードコーン１は、コーン本体部２の内部にロープ５を有している。ロープ５は、黒色と黄色との縞模様を有する一般に虎ロープと呼ばれるものであり、例えば天然繊維や合成繊維等により紐状に形成されている。
ロープ５の一端５１には、環状部５１ａが設けられている。ロープ５の環状部５１ａは、例えばコーン頂部３の内面に設けられた不図示のフックに係止可能となっている。ロープ５の環状部５１ａとコーン頂部３のフックとを係止することにより、ロープ５の一端５１にコーン頂部３が接続される。また、ロープ５の環状部５１ａとコーン頂部３のフックとの係止を解除することにより、ロープ５の一端５１からコーン頂部３を離脱させることができる。このように、コーン頂部３は、ロープ５の一端５１に対して着脱可能となっている。
【００１４】
ロープ５は、ロープ収納部６に収納されている。ロープ収納部６は、ベース部４に固定されており、ロープ５を引き出しおよび巻き取り可能なドラム部６１と、ドラム部６１を回転可能に支持する支持部６５と、により構成されている。
ドラム部６１は、円柱状に形成されて水平方向に延びる巻胴部６２と、巻胴部６２の両端において巻胴部６２よりも大径に形成されたフランジ部６４と、を有している。巻胴部６２の外周面には、ロープ５の他端が固定されてロープ５が巻回されている。
支持部６５は、ドラム部６１を軸線Ｐ周りに回転可能に軸支するＵ字状のドラム軸支部６６と、中心軸Ｏに沿うようにベース部４から上方に向かって立設されてドラム軸支部６６を下方から支持する支持柱６８と、により構成されている。支持柱６８の下端部は、ベース部４に固定されている。
【００１５】
ドラム部６１とドラム軸支部６６との間には、例えば不図示のぜんまいとラチェット式のストッパとが内蔵されている。
ロープ５を引き出すと、ドラム部６１が軸線Ｐ周りの一方側に回転してぜんまいが巻き上げられる。また、ロープ５の引き出しを停止すると、ストッパが機能し、ドラム部６１がぜんまいによって軸線Ｐ周りの他方側へ付勢された状態で保持される。これにより、ロープ５は、所定の長さだけ引き出された状態で保持される。また、ストッパによりドラム部６１が保持された状態から、再度ロープ５を引き出すと、ストッパ機能が解除されて、ぜんまいの付勢力によってドラム部６１が軸線Ｐ周りの他方側へ回転する。これにより、ロープ５は、ドラム部６１によって巻き取られる。このように、ロープ収納部６は、ロープ５を引き出すことができるとともに、巻き取り収納することができる。
ここで、ロープ収納部６は、内部に液体が注入された十分な重量を有するベース部４に固定されているので、ロープ収納部６が安定的に支持されるとともに、ロープ収納部６からロープ５を引き出す際にロードコーン１が転倒するのを防止できる。
【００１６】
図６は、複数のロードコーン間にロープを渡し掛けた時の説明図である。
続いて、図６を用いて、上述した第一実施形態におけるロードコーン１の作用について説明する。以下では、上述した第一実施形態における２本のロードコーン１（第一のロードコーン１Ａと第二のロードコーン１Ｂ）および従来のロードコーン１０１を用いて、互いにロープ５を介して接続することにより、領域の規制や区分けを行う場合について説明する。
【００１７】
図６に示すように、第一実施形態にかかる第一のロードコーン１Ａ、第二のロードコーン１Ｂおよび従来のロードコーン１０１は、所定方向（図６における左側から右側に向かう方向）に沿うように並んで配置されている。
第一実施形態にかかる第一のロードコーン１Ａと第二のロードコーン１Ｂとの間には、以下のようにしてロープ５Ａが渡し掛けられる。
まず、第一のロードコーン１Ａのコーン本体部２Ａからコーン頂部３Ａを取り外した後、ロープ５Ａを引き出す。続いて、ロープ５Ａの引き出し長さが、第一のロードコーン１Ａと第二のロードコーン１Ｂとの離間距離よりもわずかに長い所定の長さとなった時点で、ロープ５Ａの引き出しを停止する。このとき、ロープ収納部６のストッパが機能するので、ロープ５Ａが所定の長さだけ引き出された状態で保持される。
【００１８】
続いて、第二のロードコーン１Ｂのコーン頂部３Ｂを、第二のロードコーン１Ｂのコーン本体部２Ｂから取り外すとともに、第一のロードコーン１Ａのコーン頂部３Ａを、第二のロードコーン１Ｂのコーン本体部２Ｂに装着する。このとき、ロープ５Ａは、第一のロードコーン１Ａと第二のロードコーン１Ｂとの間において、弛みを有している。
続いて、第一のロードコーン１Ａの係止溝２５の開口から、係止溝２５内にロープ５Ａを挿入し、ロープ５Ａを係止溝２５に係止する。このとき、第一のロードコーン１Ａと第二のロードコーン１Ｂとの間に渡し掛けられたロープ５Ａの弛みがなくなるように、ロープ５Ａの係止位置を調節しつつ、ロープ５Ａを係止溝２５に係止する。以上により、第一のロードコーン１Ａと第二のロードコーン１Ｂとの間に、ロープ５Ａを渡し掛けることができる。
【００１９】
また、第一実施形態にかかる第二のロードコーン１Ｂと、従来のロードコーン１０１との間には、以下のようにしてロープ５Ａが渡し掛けられる。
まず、第二のロードコーン１Ｂのコーン本体部２Ｂからコーン頂部３Ｂを取り外した後、ロープ５Ｂを引き出す。続いて、ロープ５Ｂの引き出し長さが、第二のロードコーン１Ｂと従来のロードコーン１０１との離間距離よりもわずかに長い所定の長さとなった時点で、ロープ５Ｂの引き出しを停止する。このとき、ロープ収納部６のストッパが機能するので、ロープ５Ｂが所定の長さだけ引き出された状態で保持される。
【００２０】
続いて、第二のロードコーン１Ｂのコーン頂部３Ｂを、ロープ５Ｂから取り外す。これにより、ロープ５Ｂの一端５１は、環状部５１ａが露出した状態となる。
続いて、第二のロードコーン１Ｂにおけるロープ５Ｂの環状部５１ａを、従来のロードコーン１０１の先端部に挿通して装着する。このとき、ロープ５Ｂは、第二のロードコーン１Ｂと従来のロードコーン１０１との間において、弛みを有している。
続いて、第二のロードコーン１Ｂの係止溝２５の開口から、係止溝２５内にロープ５Ｂを挿入し、ロープ５Ｂを係止溝２５に係止する。このとき、第二のロードコーン１Ｂと従来のロードコーン１０１との間に渡し掛けられたロープ５Ｂの弛みがなくなるように、ロープ５Ｂの係止位置を調節しつつ、ロープ５Ｂを係止溝２５に係止する。以上により、第二のロードコーン１Ｂと従来のロードコーン１０１との間に、ロープ５Ｂを渡し掛けることができるとともに、第一のロードコーン１Ａ、第二のロードコーン１Ｂおよび従来のロードコーン１０１を用いて、領域の規制や区分けを行うことができる。
【００２１】
（第二実施形態）
図７は、第二実施形態におけるロードコーンの側面図である。
続いて、本発明に係る第二実施形態について図面を参照して説明する。
第一実施形態では、ロープ５が黒色と黄色との縞模様を有する虎ロープと呼ばれるものであり、例えば天然繊維や合成繊維等により紐状に形成されていた（図１参照）。
これに対して、図７に示すように、第二実施形態では、ロープ５が気体注入式ロープである点で、第一実施形態とは異なっている。なお、第一実施形態と同様の構成については、詳細な説明を省略する。
【００２２】
図７に示すように、コーン本体部２の内部における空間は、ロープ５が収納されるロープ収納部６となっている。
ロープ５は、中空の紐状に形成されているとともに、気体を注入することにより棒状に膨らむ気体注入式ロープである。本実施形態のロープ５としては、例えば気体を注入することにより棒状に膨らむとともに、捩ることで屈曲変形させることが可能な、いわゆるツイストバルーンと呼ばれる細長いゴム風船等が好適に採用される。
【００２３】
ベース部４の上面４１には、ベース部４の内部と外部とを連通するとともに、封止可能な気体注入バルブ４５が設けられている。気体注入バルブ４５の一端には、ベース部４の内部において、ロープ５の他端５２が接続されている。また、気体注入バルブ４５の他端には、ベース部４の外部において、気体注入用のポンプ４７が接続可能とされている。ポンプ４７を気体注入バルブ４５に接続して動作させることにより、ロープ５内に気体を注入して、紐状のロープ５を棒状に膨らませることができる。
ロープ５内に注入される気体は特に限定はされないが、例えばヘリウムガス等の空気よりも比重が軽い気体が好ましい。空気よりも比重が軽い気体をロープ５内に注入することにより、ロープ５に浮揚力が発生する。
【００２４】
図８は、第二実施形態におけるロードコーンのロープの拡大図である。
図８に示すように、ロープ５の表面は、保護材５４により覆われている。保護材５４は、例えば合成繊維をメッシュ状に編み込むことにより筒状に形成されている。保護材５４には、ロープ５が挿通されている。保護材５４は、例えば黄色と黒との縞模様を有している。保護材５４を設けることにより、ロープ５が損傷するのを防止している。
【００２５】
続いて、上述した第二実施形態におけるロードコーン１の作用について説明する。以下では、離間して配置された第二実施形態における２本のロードコーン１の間にロープ５を渡し掛け、領域の規制や区分けを行う場合について説明する。以下の説明における各符号については、図７および図８を参照されたい。
第二実施形態にかかる２本のロードコーン１間には、以下のようにしてロープ５が渡し掛けられる。
【００２６】
まず、第一のロードコーン１のコーン本体部２からコーン頂部３を取り外した後、２本のロードコーン１の離間距離よりもわずかに長い所定の長さとなるように、ロープ５を引き出す。
続いて、気体注入バルブ４５の他端にポンプ４７を装着し、ポンプ４７を動作させてロープ５にヘリウムガスを注入する。
続いて、ロープ５の一端５１に設けられた第一のロードコーン１のコーン頂部３を、第二のロードコーン１のコーン本体部２に装着する。
続いて、第一のロードコーン１の係止溝２５の開口から、ロープ５の屈曲部分を係止溝２５内に挿入し、ロープ５を係止溝２５に係止する。このとき、第一のロードコーン１と第二のロードコーン１との間に渡し掛けられたロープ５の弛みがなくなるように、ロープ５の係止位置を調節しつつ、ロープ５の屈曲部分を係止溝２５に係止する。
以上により、第二実施形態における２本のロードコーン１の間にロープ５を渡し掛け、領域の規制や区分けを行うことができる。
【００２７】
ここで、ロープ５内には、空気よりも比重が軽いヘリウムガスが注入されているので、ロードコーン１間に渡し掛けたときに、ロープ５に浮揚力が発生し、ロープ５に弛みが発生するのを防止できる。
また、ロープ５を覆う保護材５４を設けているので、ロープ５が損傷するのを防止できる。さらに、仮にロープ５が損傷してロープ５内部のヘリウムガスが外部に漏洩し、ロープ５が収縮した場合であっても、保護材５４がロードコーン１間に渡し掛けられた状態で保持される。したがって、ロープ５が損傷した場合であっても、保護材５４により領域の規制や区分けを行うことができる。
【００２８】
以上に説明した少なくとも一の実施形態によれば、第一のロードコーン１からコーン頂部３を取り外してロープ５を引き出し、第一のロードコーン１のコーン頂部３を第二のロードコーン１に装着することにより、第一のロードコーン１と第二のロードコーン１との間にロープ５を渡し掛けて、領域の規制や区分けを確実に行うことができる。また、従来、第一のロードコーン１と第二のロードコーン１との間に棒状部材を渡し掛ける場合、領域の規制や区分けが棒状部材の長さにより制限されていた。これに対して、以上に説明した少なくとも一の実施形態によれば、ロープ５の引き出し量を調節することにより、所望の領域の規制や区分けを行うことができる。また、第一実施形態におけるロードコーン１のロープ５は、天然繊維や合成繊維等により形成されており、第二実施形態におけるロードコーン１のロープ５は、保護材５４により覆われているので、優れた耐久性を確保できる。
【００２９】
また、コーン本体部２には、係止溝２５が設けられているので、第一のロードコーン１と第二のロードコーン１との間にロープ５を渡し掛けた後に、ロープ５の係止溝２５に対する位置を調節しつつロープ５を係止溝２５に係止することで、ロープ５の弛みを排除できる。したがって、第一のロードコーン１と第二のロードコーン１との間に渡し掛けたロープ５の弛みを防止して、領域の規制や区分けを確実に行うことができる。
【００３０】
また、コーン頂部３がロープ５の一端５１に対して着脱可能となっており、ロープ５の一端５１に環状部５１ａが設けられているので、コーン頂部３をロープ５の一端から取り外すとともに、ロープ５の環状部５１ａを従来のロードコーン１０１の先端部に挿通することで、実施形態に係るロードコーン１と、従来のロードコーン１０１との間にロープ５を渡し掛けることができる。
【００３１】
また、ロープ５が黒色と黄色との縞模様を有するので、視覚的に目立つとともに、ロープ５により規制や区分けが行われた領域が危険であることを認識させることができる。
【００３２】
以上、本発明のいくつかの実施形態を説明したが、これらの実施形態は一例として提示したものであり、発明の範囲を限定することは意図していない。これら新規な実施形態は、その他様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【００３３】
例えば、上述の各実施形態では、コーン本体部２にロープ５を係止可能なＶ字状の係止溝２５を設けていたが、係止溝２５に限定されることはなく、少なくともロープ５を係止できればよい。したがって、例えば、係止溝２５に換えて、ロープ５を係止可能なフック等を設けてもよい。
【００３４】
例えば、上述の各実施形態では、面ファスナー８を用いることにより、コーン本体部２の外殻２０が、ベース部４に対して着脱可能となっていた。これに対して、例えばコーン本体部２の外殻２０およびベース部４のいずれか一方に係止爪をもうけ、他方に係止孔を設けることにより、コーン本体部２の外殻２０がベース部４に対して着脱可能となっていてもよい。
【００３５】
例えば、上述の第一実施形態では、ロープ収納部として、ロープ５を引き出しおよび巻き取り可能なドラム部６１と、ドラム部６１を回転可能に支持する支持部６５とを有するロープ収納部６を例に説明をしたが、上述のロープ収納部６に限定されることはなく、少なくともロープ５を収納できればよい。
【００３６】
その他、本発明の趣旨を逸脱しない範囲で、上記した実施の形態における構成要素を周知の構成要素に置き換えることは適宜可能である。
【符号の説明】
【００３７】
１，１Ａ，１Ｂ・・・ロードコーン  ２，２Ａ，２Ｂ・・・コーン本体部  ３，３Ａ，３Ｂ・・・コーン頂部  ３ａ・・・底部  ４・・・ベース部  ５，５Ａ，５Ｂ・・・ロープ  ６・・・ロープ収納部  ２０・・・外殻  ２５・・・係止部  ４３・・・液体注入口  ５１・・・一端  ５１ａ・・・環状部
【図１】
2015098703.tif 000003
【図２】
2015098703.tif 000004
【図３】
2015098703.tif 000005
【図４】
2015098703.tif 000006
【図５】
2015098703.tif 000007
【図６】
2015098703.tif 000008
【図７】
2015098703.tif 000009
【図８】
2015098703.tif 000010